(57)【要約】【課題】操作性の低下を抑制できる電子機器を提供する。【解決手段】本発明の電子機器は、少なくとも一方の面に設けられた第１表示領域に画像を表示させる表示装置と、表示装置の外周面を囲み、外周面に対して移動可能に取り付けられるバンド部と、バンド部と表示装置との相対移動量を検出する検出部と、を備えることを特徴とする。【選択図】図１
2014044520.tif 000002
【特許請求の範囲】
【請求項１】
少なくとも一方の面に設けられた第１表示領域に画像を表示させる表示装置と、
前記表示装置の外周面を囲み、前記外周面に対して移動可能に取り付けられるバンド部と、
前記バンド部と前記表示装置との相対移動量を検出する検出部と、
を備えることを特徴とする電子機器。
【請求項２】
前記バンド部は、前記外周面に設けられた溝に配置されることを特徴とする請求項１に記載の電子機器。
【請求項３】
前記検出部は、前記バンド部の前記溝内でのスライド量を検出することを特徴とする請求項２に記載の電子機器。
【請求項４】
前記バンド部は、一対のバンド部材と、前記一対のバンド部材同士を回転可能に連結させる第１連結部及び第２連結部と、を有し、
前記検出部は、前記バンド部材の回転量を検出することを特徴とする請求項１〜３のいずれか一項に記載の電子機器。
【請求項５】
前記一対のバンド部材は、互いが同じ長さを有し、
前記一対のバンド部材の各々における中央部分には、所定の入力操作を行うための操作スイッチが設けられていることを特徴とする請求項４に記載の電子機器。
【請求項６】
前記第１連結部及び前記第２連結部の少なくとも一方が前記表示装置と電気的に接続されることを特徴とする請求項４又は５に記載の電子機器。
【請求項７】
前記検出部の検出結果に基づいて、前記第１表示領域における表示状態を制御する表示制御装置を備えることを特徴とする請求項１〜６のいずれか一項に記載の電子機器。
【請求項８】
前記表示装置の姿勢を検出する姿勢検出装置を備え、
前記表示制御装置は、前記姿勢検出装置の検出結果に基づいて、前記第１表示領域における表示状態を制御することを特徴とする請求項７に記載の電子機器。
【請求項９】
前記表示状態の制御は、前記第１表示領域に表示される画像の内容の変更を含むことを特徴とする請求項７又は８に記載の電子機器。
【請求項１０】
前記表示状態の制御は、前記第１表示領域に表示される画像の向きの変更を含むことを特徴とする請求項７〜９のいずれか一項に記載の電子機器。
【請求項１１】
前記バンド部の前記外周面に対する移動を制限可能な制限部を備えることを特徴とする請求項１〜１０のいずれか一項に記載の電子機器。
【請求項１２】
前記バンド部は、一部が前記表示装置の前記外周面から離間した状態に配置されていることを特徴とする請求項１〜１１のいずれか一項に記載の電子機器。
【請求項１３】
前記表示装置は、前記第１表示領域が設けられた面と反対の面に第２表示領域を有することを特徴とする請求項１〜１２のいずれか一項に記載の電子機器。
【発明の詳細な説明】
【技術分野】
【０００１】
本発明は、電子機器に関するものである。
【背景技術】
【０００２】
例えばタブレットＰＣ等の電子機器において、下記特許文献１に開示されているような電子機器が知られている。この電子機器ではディスプレイの表面に配置したタッチパネルやタッチセンサーから構成されるスイッチを用いて所定の入力操作が行われている。
【先行技術文献】
【特許文献】
【０００３】
【特許文献１】特開２００９−９９０６７号公報
【発明の概要】
【発明が解決しようとする課題】
【０００４】
しかしながら、上記従来技術に係る電子機器においては、スイッチ及びセンサーの配置が固定されているため、例えば電子機器の縦横の持ち替えを行った場合には操作性が低下するおそれがあった。
そこで、ユーザーが電子機器を使用する場合、良好に操作できる技術の案出が望まれる。
【０００５】
本発明は、上記の事情に鑑み成されたものであって、操作性の低下を抑制できる電子機器を提供することを目的とする。
【課題を解決するための手段】
【０００６】
本発明の一態様に係る電子機器によれば、少なくとも一方の面に設けられた第１表示領域に画像を表示させる表示装置と、前記表示装置の外周面を囲み、前記外周面に対して移動可能に取り付けられるバンド部と、前記バンド部と前記表示装置との相対移動量を検出する検出部と、を備える電子機器が提供される。
【０００７】
上記電子機器においては、前記バンド部は、前記外周面に設けられた溝に配置されるのが好ましい。
【０００８】
上記電子機器においては、前記検出部は、前記バンド部の前記溝内でのスライド量を検出するのが好ましい。
【０００９】
上記電子機器においては、前記バンド部は、一対のバンド部材と、前記一対のバンド部材同士を回転可能に連結させる第１連結部及び第２連結部と、を有し、前記検出部は、前記バンド部材の回転量を検出するのが好ましい。
【００１０】
上記電子機器においては、前記一対のバンド部材は、互いが同じ長さを有し、前記一対のバンド部材の各々における中央部分には、所定の入力操作を行うための操作スイッチが設けられているのが好ましい。
【００１１】
上記電子機器においては、前記第１連結部及び前記第２連結部の少なくとも一方が前記表示装置と電気的に接続されるのが好ましい。
【００１２】
上記電子機器においては、前記検出部の検出結果に基づいて、前記第１表示領域における表示状態を制御する表示制御装置を備えるのが好ましい。
【００１３】
上記電子機器においては、前記表示装置の姿勢を検出する姿勢検出装置を備え、前記表示制御装置は、前記姿勢検出装置の検出結果に基づいて、前記第１表示領域における表示状態を制御するのが好ましい。
【００１４】
上記電子機器においては、前記表示状態の制御は、前記第１表示領域に表示される画像の内容の変更を含むのが好ましい。
【００１５】
上記電子機器においては、前記表示状態の制御は、前記第１表示領域に表示される画像の向きの変更を含むのが好ましい。
【００１６】
上記電子機器においては、前記バンド部の前記外周面に対する移動を制限する制限部を備えるのが好ましい。
【００１７】
上記電子機器においては、前記バンド部は、一部が前記表示装置の前記外周面から離間した状態に配置されているのが好ましい。
【００１８】
上記電子機器においては、前記表示装置は、前記第１表示領域が設けられた面と反対の面に第２表示領域を有するのが好ましい。
【発明の効果】
【００１９】
本発明によれば、操作性の低下を抑制できる。
【図面の簡単な説明】
【００２０】
【図１】第１実施形態に係る電子機器の一例を示す図である。
【図２】第１実施形態に係る電子機器の制御系の一例を示す図である。
【図３】第１実施形態に係る電子機器の要部構成を示す断面図である。
【図４】第１実施形態に係る電子機器を横持ちした場合の形態を示す図である。
【図５】第１実施形態に係る電子機器のバンド部の動作状態を示す図である。
【図６】第１実施形態に係る電子機器を縦持ちした場合の形態を示す図である。
【図７】第１実施形態に係る電子機器の画像表示状態が変化する例を示す図である。
【図８】第１実施形態に係る電子機器の画像表示状態が変化する例を示す図である。
【図９】第１実施形態に係る電子機器の画像表示状態が変化する例を示す図である。
【図１０】第２実施形態に係る電子機器の一例を示す図である。
【図１１】第２実施形態に係る電子機器に対する入力操作を示す図である。
【図１２】変形例に係る電子機器の構成を示す図である。
【発明を実施するための形態】
【００２１】
以下、本発明の実施形態について図面を参照しながら説明するが、本発明はこれに限定されない。以下の説明においては、ＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向及びＹ軸方向のそれぞれと直交する方向（すなわち鉛直方向）をＺ軸方向とする。また、Ｘ軸、Ｙ軸、及びＺ軸まわりの回転（傾斜）方向をそれぞれ、θＸ、θＹ、及びθＺ方向とする。
【００２２】
（第１実施形態）
図１は、本実施形態に係る電子機器１の一例を示す図である。また、図２は本実施形態に係る電子機器１の制御系の一例を示す模式図である。図１、２に示されるように、電子機器１は、表示装置２と、バンド部３と、バンド部３の表示装置２に対する相対移動量を検出する検出部４とを備えている。
【００２３】
電子機器１は、表示装置２の表示状態を制御可能な制御装置５０と、制御装置５０に接続された記憶装置１４とを備えている。また、制御装置５０には、検出部４、後述する撮像装置１６、操作スイッチ１２、１３、ロック機構４０が電気的に接続されている。
【００２４】
また、本実施形態において、電子機器１は、表示装置２の姿勢を検出する姿勢検出装置１５を備えている。姿勢検出装置１５は、例えば加速度センサー、ジャイロセンサー等を含む。姿勢検出装置１５は、例えば重力が作用する方向（重力方向）に対する表示装置２の姿勢を検出する。姿勢検出装置１５は、制御装置５０に電気的に接続されており、検出結果を制御装置５０に送信するようになっている。
【００２５】
制御装置５０は、姿勢検出装置１５の検出結果に基づき表示装置２の姿勢を判定し、前記姿勢に応じて表示領域（第１表示領域）５Ａに表示する画像を最適化する。具体的に制御装置５０は、電子機器１（表示装置２）が縦置き及び横置きのいずれの状態で使用されているかを検出し、表示装置２の表示領域５Ａに表示させる画像の向きを調整する。この構成に基づき、電子機器１は、表示装置２の姿勢の変化に応じて表示領域５Ａの表示が最適化することで画像視認性の高いものとなる。
【００２６】
本実施形態において、表示装置２は、例えば液晶表示装置から構成されるものである。
ここで、表示装置２は、液晶表示装置のみに限られず、他のフラットパネルディスプレイを採用することができる。フラットパネルディスプレイとしては、例えば、有機ＥＬディスプレイ、プラズマディスプレイ、或いは電気泳動ディスプレイを例示することができる。すなわち、上記表示領域５Ａは、有機ＥＬディスプレイ、プラズマディスプレイ、又は電気泳動ディスプレイの表示領域から構成されていてもよい。
【００２７】
表示装置２は、少なくとも一方の面である表面５と、表示領域５Ａを含む表面５と反対の面である裏面６と、該表面５及び裏面６同士を接続する側部７とを含む。
本実施形態において、表示装置２の外形は、実質的に矩形（直方体）である。本実施形態において、表面５の外形は、実質的に長方形である。裏面６の外形は、実質的に長方形である。
【００２８】
表面５は、表示領域５Ａと、該表示領域５Ａの周囲に配置される非表示領域５Ｂとを含む。本実施形態において、表示装置２の裏面６側には、表示領域が設けられていない。すなわち、表示装置２は、表面５側のみに表示領域５Ａを有した態様を採用している。
【００２９】
このように本実施形態において、表示装置２の外形が実質的に矩形であることから電子機器１自体の外形も矩形となる。よって、電子機器１は、矩形状で大きな表示領域５Ａを表面５に設定することができるので、小型且つ視認性に優れたものとなる。
【００３０】
また、表示装置２における非表示領域５Ｂと重なる領域には、バンド部３のスライド量を検出するスライド検出センサー２３が設けられている。スライド検出センサー２３は、例えばバンド部３の位置を光、或いは磁気等を用いて検出するものであり、検出部４を構成するものである。スライド検出センサー２３は、枠状の非表示領域５Ｂの複数個所に配置するようにしてもよい。この場合、少なくとも非表示領域５Ｂの４隅に配置するのが好ましく、数を増やすほど検出精度が向上する。
【００３１】
スライド検出センサー２３は、制御装置５０と電気的に接続されている。これにより、スライド検出センサー２３により入力された信号が制御装置５０に送信されるようになっている。そして、制御装置５０は、スライド検出センサー２３の検出結果、すなわちバンド部３のスライド量を検出することができる。
【００３２】
側部７は、第１側部７Ａと、第１側部７Ａに隣り合う第２側部７Ｂと、第１側部７Ａと対向する第３側部７Ｃと、第２側部７Ｂと対向する第４側部７Ｄとを含む。第１、第２、第３、第４側部７Ａ、７Ｂ、７Ｃ、７Ｄはそれぞれ真っ直ぐ（straight）である。第１側部７Ａと第３側部７Ｃとは、ほぼ平行である。第２側部７Ｂと第４側部７Ｄとは、ほぼ平行である。
【００３３】
また、本実施形態において、側部７は、第１側部７Ａと第２側部７Ｂとの間に配置される第１コーナー部７Ｅと、第２側部７Ｂと第３側部７Ｃとの間に配置される第２コーナー部７Ｆと、第３側部７Ｃと第４側部７Ｄとの間に配置される第３コーナー部７Ｇと、第４側部７Ｄと第１側部７Ａとの間に配置される第４コーナー部７Ｈとを含む。
【００３４】
側部７の少なくとも一部には、後述のバンド部３を移動可能に取り付けるための溝部７ａが形成されている。本実施形態において、溝部７ａは第１、第２、第３、第４側部７Ａ、７Ｂ、７Ｃ、７Ｄに形成されている。すなわち、溝部７ａは、表示装置２の外周面をなす側部７の全周に亘り形成されている。
【００３５】
以下、本実施形態において、表示装置２の長辺方向（第１側部７Ａ及び第３側部７Ｃの長さ方向）をＺ方向に沿って電子機器１を配置する場合を横置きと称し、表示装置２の短辺方向（第２側部７Ｂ及び第４側部７Ｄの長さ方向）をＺ方向に沿って電子機器１を配置する場合を縦置きと称する。
【００３６】
バンド部３は、少なくとも表面が弾性材料から構成される一対のバンド部材８、９と、該一対のバンド部材８、９同士を連結させる第１スライド部（第１連結部材）１０及び第２スライド部（第２連結部材）１１と、を備えている。
【００３７】
バンド部３は、上述のように少なくとも表面が弾性材料から構成された一対のバンド部材８、９を主体として構成される。そのため、バンド部３は表示装置２が落下した際の衝撃や外力から側部７を保護する保護部材として機能させることができる。なお、本実施形態において、バンド部材８、９には、該バンド部材８、９に加えられた圧力を検出する感圧センサー（圧力検出部）が設けられている。この感圧センサーは、制御装置５０に電気的に接続されている。これにより、制御装置５０は、ユーザーの手指がバンド部材８、９のいずれの位置に接触しているか否かを検出することが可能となっている。
【００３８】
バンド部材８、９は、複数の節部が互いに可動可能な状態で連結されることで、全体として長さ方向の変位が拘束されるものの折り曲げ可能な態様を有している。バンド部材８、９は互いが同じ長さを有している。すなわち、バンド部材８、９は、同一の部材から構成されている。
【００３９】
また、バンド部材８、９は、上述したように複数の節部が連結された態様であるため、表面に節部によって形成された凹凸形状１８、１９を有している。電子機器１は、ユーザーの手で把持された際に上記凹凸形状１８、１９が手に馴染むので、持ち易さが向上し、これに伴って優れた操作性を有する。
【００４０】
第１スライド部１０には、撮像装置１６が内蔵されている。撮像装置１６は、例えばＣＣＤ又はＣＭＯＳから構成された撮像素子を含む装置であり、電子機器１の周囲の画像を撮像することができる。
【００４１】
撮像装置１６は、制御装置５０に電気的に接続されるため、制御装置５０は撮像装置１６から送信された画像信号を処理することで表示装置２に表示させることができる。これにより、表示装置２は、撮像装置１６が撮像した任意の画像を表示させることが可能とされている。
【００４２】
また、バンド部材８、９の各々における中央部分には、電子機器１に対して所定の入力操作を行うための操作スイッチ１２、１３が設けられている。バンド部材８、９の内部には、操作スイッチ１２、１３から引き出された不図示の配線が引き回されている。
【００４３】
操作スイッチ１２、１３としては、例えば電子機器１の電源をＯＮするスイッチ、電源をＯＦＦするＯＦＦスイッチ、所定の入力操作を確定する確定スイッチ、所定の入力操作をキャンセルするキャンセルスイッチ、電子機器１の不図示のスピーカーから出力される音声のボリュームを上げるボリュームアップスイッチ、ボリュームダウンスイッチ等といった各スイッチが割り当てられる。なお、操作スイッチ１２、１３を構成するスイッチとしては、上述した種類のものに限られることはなく、電子機器１に対して何らかの入力操作を行うためのものであれば適宜置き換え可能である。
【００４４】
本実施形態においては、同じ長さを有する同一のバンド部材８、９の中央部分に操作スイッチ１２、１３がそれぞれ設けられるため、バンド部３は、第１スライド部１０及び第２スライド部１１を中心として操作スイッチ１２、１３が左右対称に配置された態様となる。よって、操作スイッチ１２、１３が左右対称に配置されることで後述のように電子機器１について片手持ち、両手持ち、縦横の持ち替え、或いは表裏面の持ち替えを行った際に生じる操作性の低下を抑制することができる。
【００４５】
図３はバンド部３と表示装置２との取付部分の要部構成を示す断面図であり、図３（ａ）は第１スライド部１０と表示装置２との取付部分を示すものであり、図３（ｂ）は第２スライド部１１と表示装置２との取付部分を示すものである。なお、第２スライド部１１と第１スライド部１０との大きな違いは、撮像装置１６を内蔵しているか否かであり、それ以外の構成は共通である。
【００４６】
バンド部３は、図３（ａ），（ｂ）に示すように表示装置２の溝部７ａにより確実に保持されている。そのため、バンド部材８、９は、表示装置２の側部７よりも僅かに突出した状態となるものの、表示装置２の外周面（側部７の表面）から必要以上に飛び出た形態となることが回避され、電子機器１は操作性に優れたものとなる。
【００４７】
図３に示すように、第１スライド部１０（第２スライド部１１）は、表示装置２の溝部７ａ内に設けられたレール部２０に沿って移動可能な状態で取り付けられている。また、バンド部３は、第１スライド部１０及び第２スライド部１１の２箇所において表示装置２側に固定されることで溝部７ａから脱落するのを防止している。
【００４８】
レール部２０は、金属材料から構成されている。第１スライド部１０（第２スライド部１１）は、レール部２０との間で電気的接点を構成する接点２０ａを有している。すなわち、第１スライド部１０及び第２スライド部１１は、接点２０ａ及びレール部２０を介して表示装置２の制御装置５０と電気的に接続されている。制御装置５０は、表示装置２における非表示領域５Ｂと平面的に重なる位置に配置されている。
【００４９】
第１スライド部１０とバンド部材８、９とはジョイント構造３０により連結されている。ジョイント構造３０は、第１スライド部１０に設けられた球面状の受皿部１０ａ、１０ｂと、バンド部材８、９の端部に設けられた球状凸部８ａ，９ａと、から構成される。バンド部材８、９は、球状凸部８ａ，９ａが受皿部１０ａ、１０ｂに嵌合されることで固定されている。これにより、バンド部材８、９は、第１スライド部１０に対して長さ方向に対する動きが規制され、且つ径方向に回転可能することができる。
【００５０】
第２スライド部１０とバンド部材８、９とはジョイント構造３０により連結されている。ジョイント構造３０は、第２スライド部１１に設けられた球面状の受皿部１１ａ、１１ｂと、バンド部材８、９の端部に設けられた球状凸部８ａ，９ａと、から構成される。バンド部材８、９は、球状凸部８ａ，９ａが受皿部１１ａ、１１ｂに嵌合されることで固定されている。これにより、バンド部材８、９は、第２スライド部１１に対して長さ方向に対する動きが規制され、且つ径方向に回転可能することができる。
【００５１】
また、ジョイント構造３０は、不図示の領域において操作スイッチ１２、１３から引き出された配線を接点２０ａに接続させている。本実施形態においては、上述のように接点２０ａは、レール部２０を介して制御装置５０に電気的接続されるため、操作スイッチ１２、１３は制御装置５０に電気的に接続されたものとなる。これにより、操作スイッチ１２、１３により入力された信号が制御装置５０に送信されるようになっている。そして、制御装置５０は、操作スイッチ１２、１３がオンされたか否かを検出することができる。
【００５２】
第１スライド部１０の受皿部１０ａの底面には、球状凸部８ａの回転量を検出する回転センサー２１が設けられている。回転センサー２１は、不図示の領域において引き回された配線を介して接点２０ａに接続させている。すなわち、回転センサー２１は、バンド部材８（バンド部３）の回転量（移動量）を検出する上記検出部４を構成するものである。
【００５３】
また、第２スライド部１１の受皿部１１ｂの底面には、球状凸部９ａの回転量を検出する回転センサー２１が設けられている。回転センサー２４は、不図示の領域において引き回された配線を介して接点２０ａに接続させている。すなわち、回転センサー２４は、バンド部材８（バンド部３）の回転量（移動量）を検出する上記検出部４を構成するものである。
【００５４】
本実施形態においては、上述のように接点２０ａは、レール部２０を介して制御装置５０に電気的接続されるため、回転センサー２１、２４は制御装置５０に電気的に接続されたものとなる。これにより、球状凸部８ａ，９ａの回転量（すなわち、バンド部材８、９の回転量）に関する信号が制御装置５０に送信されるようになっている。そして、制御装置５０は、バンド部材８、９の回転量を検出することができる。
【００５５】
また、本実施形態において、電子機器１は、溝部７ａの内部にバンド部３の側部７に対する移動を制限するロック機構（制限部）４０を備えている。ロック機構４０は、バンド部３の一部に係合することでバンド部３のスライド動作及び回転動作を規制するためのものである。ロック機構４０は、制御装置５０に電気的に接続されており、その駆動が制御されている（図２参照）。これにより、制御装置５０は、ユーザーからの指示に基づき、必要に応じてバンド部３の動きを規制することができる。よって、例えば電子機器１の持ち運び時にバンド部３の位置が動いてしまうのを防止できる。
【００５６】
また、ロック機構４０は、バンド部３の動きを所定量毎、例えば縦置き状態の表示装置２を基準に撮像装置１６の位置が表示装置２に対して９０度ずつ変化する毎に一時的に制限する構成を採用している。これによれば、表示装置２に対して撮像装置１６の位置を９０度変化させると一時的にバンド部３の動きが制限されるため、ユーザーに対して一定のクリック感を感じさせることができる。よって、ユーザーはバンド部３の位置を目視しなくても手に伝わるクリック感からバンド部３が所定量（９０度）だけ移動したことを容易に認識することができ、優れた操作性を得ることができる。
【００５７】
本実施形態においては、バンド部３が表示装置２の溝部７ａ内においてスライド及び回転可能に設けられている。すなわち、制御装置５０は、バンド部３のスライド動作及び回転動作と電子機器１に対する入力操作とを関連付けている。制御装置５０はバンド部３がスライド又は回転すると、該バンド部３（バンド部材８）の移動量（スライド量又は回転量）に対応させて表示装置２の表示状態を制御する本発明の表示制御装置を構成している。
【００５８】
このように本実施形態に係る電子機器１においては、バンド部材８を移動させるといった簡便な操作により表示装置２の表示状態の制御を行う入力操作を行うことができるので、非常に操作性の高いものとなる。ここで、表示状態の制御としては、後述するような表示領域５Ａに表示される画像の内容の変更及び画像の向きの変更を含む。ここで、画像内容の変更は、表示画像を拡大又は縮小する概念を含む。
【００５９】
撮像装置１６は、回転ヒンジ１６ａを介して回転可能な状態で第１スライド部１０に内蔵されている。撮像装置１６の回転ヒンジ１６ａの回転軸は、ジョイント構造３０における回転軸と一致している。これにより、撮像装置１６は、バンド部３（バンド部材８、９）の長さ方向に交差する面、具体的には図１におけるＹＺ平面内において回転可能とされている。この構成により、撮像装置１６は、表示装置２の表面５に対して±１２０°の範囲で回転可能とされる。よって、撮像装置１６は、表示装置２の両面側に位置する対象物（ユーザー自身あるいは背景等）を撮像することができる。
【００６０】
第１スライド部１０の受皿部１０ｂの底面には、撮像装置１６（回転ヒンジ１６ａ）の回転量を検出する回転センサー２２が設けられている。回転センサー２２は、不図示の領域において引き回された配線を介して第１スライド部１０及び第２スライド部１１に設けられた接点２０ａに接続させている。回転ヒンジ１６ａは、不図示の駆動部により撮像装置１６を回転可能とする。この駆動部は制御装置５０に電気的に接続され、その駆動が制御されている。
【００６１】
本実施形態においては、上述のように接点２０ａは、レール部２０を介して制御装置５０に電気的接続されるため、回転センサー２２は制御装置５０に電気的に接続されたものとなる。これにより、撮像装置１６の回転量に関する信号が制御装置５０に送信されることで、制御装置５０は撮像装置１６の回転量を検出することができる。
このような構成に基づき、制御装置５０は、例えば姿勢検出装置１５の検出結果から表示装置２の姿勢を判定し、表示装置２の姿勢に応じて撮像装置１６の向きを変化させることができる。これによれば、電子機器１は、その姿勢によらず、常に撮像装置１６により同一の対象物を撮像することが可能となり、撮像動作を行う際の操作性を向上させることができる。
【００６２】
続いて、ユーザーが電子機器１を操作している状態について図４乃至９を参照にして説明する。
【００６３】
図４は、ユーザーが、第１側部７Ａが下方（地面、床面等）を向くように表示装置２の姿勢を維持した状態、すなわち電子機器１を横持ちの状態で操作している例を示す図である。図５は、ユーザーが電子機器１を横持ちから縦持ちに変更した際の表示画像の変化及びバンド部の動作を示す図である。図６は、ユーザーが、第４側部７Ｄが下方（地面、床面等）を向くように表示装置２の姿勢を維持した状態、すなわち電子機器１を縦持ちの状態で操作している例を示す図である。図７乃至９は、ユーザーがバンド部３を操作して表示装置２の表示状態を変化させる態様を示す図である。なお、本例では、画像は、動物（熊）の画像である。画像の上部とは、動物の頭の部分を差すこととする。
【００６４】
本例において、制御装置５０は、ユーザーにより行われたバンド部３に対する操作に応じて、表示装置２の表示状態の制御を実行する。
【００６５】
図４に示すように、ユーザーが電子機器１を横持ちした場合、電子機器１は姿勢検出装置１５により表示装置２の姿勢を検出し、検出結果を制御装置５０に送信する。制御装置５０は、表示装置２が横持ち状態であることを検出すると、上方を向いている第２側部７Ｂに画像の上部を一致させるように表示装置２の表示状態を変化させる。これにより、ユーザーは電子機器１を横持ちした状態において表示領域５Ａに表示される画像の上下方向が表示装置２の上下方向に一致するため、良好に表示画像を視認することができる。
【００６６】
通常、ユーザーは、電子機器１を横持ちする際、第１スライド部１０が上方を向いている第２側部７Ｂの中央部に位置するようにさせ、第２スライド部１１が下方を向いている第４側部７Ｄの中央部に位置するようにさせる。これにより、第１スライド部１０に内蔵された撮像装置１６は、ユーザーの顔の近くに配置されるので、ユーザーが自分自身の撮像操作を容易に行うことができる。また、撮像装置１６は、撮影画像の上下が鉛直方向に一致した自然な画像を撮像することができる。
【００６７】
このとき、バンド部材８は第３側部７Ｃに位置し、バンド部材９は第１側部７Ａに位置する。また、バンド部材８に形成された操作スイッチ１２は第３側部７Ｃの中央部に位置し、バンド部材９に形成された操作スイッチ１３は第１側部７Ａの中央部に位置する。
したがって、ユーザーは、両手で把持される電子機器１の左右対称な位置に操作スイッチ１２、１３が配置されたものとなるので、容易に操作スイッチ１２、１３を操作することができる。
【００６８】
ユーザーは、電子機器１を横持ち状態から縦持ち状態（図６参照）に変更する場合、図５に示すように第３側部７Ｃを上方に向け、第１側部７Ａを下方に向けるように表示装置２を例えば時計回りに回転させればよい。このとき、電子機器１は姿勢検出装置１５により表示装置２の姿勢変化を検出し、検出結果を制御装置５０に送信する。制御装置５０は、上方を向く第３側部７Ｃに画像の上部を一致させるように表示装置２の表示状態を変化させる。これにより、ユーザーは電子機器１を縦持ちした状態において表示領域５Ａに表示される画像の上下方向が表示装置２の上下方向に一致するため、良好に表示画像を視認することができる。
【００６９】
このとき、制御装置５０は、表示装置２の姿勢変化に応じて、表示領域５Ａに表示させる画像の大きさを縦持ち状態で見易い大きさに変更（拡大或いは縮小）してもよい。これによれば、電子機器１は、ユーザーがより視認し易い画像を表示することができる。
【００７０】
通常、ユーザーは、電子機器１を縦持ちする際、第１スライド部１０が上方を向く第３側部７Ｃの中央部に位置し、第２スライド部１１が下方を向いている第１側部７Ａの中央部に位置するようにバンド部３を回転させる。これにより、第１スライド部１０に内蔵された撮像装置１６がユーザーの顔の近くに配置されるので、ユーザーが自分自身の撮像操作を容易に行うことがきる。また、撮像装置１６は、撮影画像の上下が鉛直方向に一致した自然な画像を撮像することができる。
【００７１】
バンド部３が回転すると、図６に示されるように、バンド部材８は第４側部７Ｄに位置し、バンド部材９は第２側部７Ｂに位置する。また、バンド部材８に形成された操作スイッチ１２は第４側部７Ｄの中央部に位置し、バンド部材９に形成された操作スイッチ１３は第２側部７Ｂの中央部に位置する。
したがって、ユーザーは、両手で把持される電子機器１の左右対称な位置に操作スイッチ１２、１３が配置されたものとなるので、容易に操作スイッチ１２、１３を操作することができる。
【００７２】
本実施形態に係る電子機器１によれば、該電子機器１を片手持ち、両手持ち、縦横の持ち替えを行った場合でも、操作スイッチ１２、１３が左右対称に配置された構造を有するので、バンド部３が移動することに伴う操作スイッチ１２、１３の操作性の低下を抑制することができる。
【００７３】
続いて、制御装置５０がバンド部３の操作に応じて表示装置２の表示状態を制御する態様について説明する。
【００７４】
図７、８は、バンド部３の移動方法の一例であり、電子機器１を机等の載置台の表面と接するように立てた状態で載置し、該電子機器１を左右方向或いは前後方向に移動することでバンド部３を移動させる態様を示す図である。
具体的に図７は、載置台上で電子機器１を左右方向に移動させる態様を示す図である。
図７において、ユーザーは縦持ち状態（図６参照）の電子機器１の第１側部７Ａ側を載置台６０上に載置する。すなわち、第１側部７Ａに配置されたバンド部３は、載置台６０に当接されている。
【００７５】
ユーザーは、表示領域５Ａに画像が表示された電子機器１を載置台６０上で左右方向に移動させると、制御装置５０はスライド検出センサー２３の検出結果に基づいてバンド部３のスライド量を検出する。
【００７６】
また、制御装置５０はバンド部３（バンド部材８、９）に設けられた不図示の感圧センサーの検出結果に基づき、載置台６０に接触しているバンド部３の部位を特定することができる。これにより、制御装置５０は、第１側部７Ａに対応するバンド部３が左右方向に移動していることを検出し、これに対応するように表示領域５Ａに表示されている画像の表示状態を変化させる。具体的に電子機器１は、図７に示すように表示領域５Ａに表示される画像を第１側部７Ａに沿った左右方向に移動する。
【００７７】
なお、電子機器１は、表示領域５Ａに撮像装置１６が撮像した画像を表示させ、バンド部３の移動量に応じて撮像画像を左右に移動させるようにしてもよい。
【００７８】
また、図８は、載置台上で電子機器１を前後方向に移動させる態様を示す図である。
ユーザーは、表示領域５Ａに画像が表示された電子機器１を載置台６０上で前後方向に移動させると、制御装置５０はスライド検出センサー２３の検出結果に基づいてバンド部３（バンド部材８、９）の回転量を検出する。
【００７９】
制御装置５０は、検出したバンド部３の回転方向及び回転量に対応させるように表示領域５Ａに表示されている画像の表示状態を変化させる。具体的に電子機器１は、図８に示すようにユーザーによって該電子機器１が前方向に移動されると表示領域５Ａの表示画像を拡大し、該電子機器１が後方向に移動されると表示領域５Ａの表示画像を縮小する。
【００８０】
また、図９は、ユーザーが載置台に載置せずに縦持ち状態で把持した電子機器１の第２側部７Ｂに位置するバンド部３を上下方向にスライドさせる態様を示す図である。
ユーザーが手指によってバンド部３をスライドさせると、制御装置５０はスライド検出センサー２３の検出結果に基づいてバンド部３（バンド部材８、９）のスライド量を検出する。
【００８１】
また、制御装置５０はバンド部３（バンド部材８、９）に設けられた不図示の感圧センサーの検出結果に基づき、ユーザーの手指に接触しているバンド部３の部位を特定することができる。これにより、制御装置５０は、第２側部７Ｂに対応するバンド部３が上下方向にスライド移動していることを検出し、これに対応するように表示領域５Ａに表示されている画像の表示状態を変化させる。具体的に電子機器１は、図９に示すように表示領域５Ａに表示される画像を第２側部７Ｂに沿った上下方向に移動する。
【００８２】
このように、制御装置５０は、バンド部３の移動量の検出結果に基づいて、画像の向きを調整するとともに、姿勢検出装置１５の検出結果に基づいて、表示装置２における表示状態を制御する。制御装置５０は、検出部４の検出結果と姿勢検出装置１５の検出結果とに基づいて、画像の向きを維持しつつ、画像の拡大、縮小、及び移動の少なくとも一つを実行する。
【００８３】
以上述べたように、本実施形態によれば、側部７に配置されるバンド部３を移動することによって、高い操作性の電子機器１を提供できる。すなわち、バンド部３を動かすといった簡便な操作により表示装置２の表示を変化させることが可能な操作性に優れたインターフェイス手段を提供できる。
【００８４】
また、本実施形態によれば、表示領域５Ａを触ることなく表示領域５Ａに表示される画像の表示状態を変化させることができる。したがって、例えば表示領域５Ａがユーザーの手指の油などで汚れることを抑制できる。
【００８５】
なお、図７乃至９に示した操作方法は、一例に過ぎない。例えば、バンド部３の移動量と、操作スイッチ１２、１３の動作との関係を定め、その関係（情報）を記憶装置１４に記憶しておく。制御装置５０は、その記憶装置１４の情報と、バンド部３の移動量とに基づいて、電子機器１に対する入力操作（表示装置２の表示画像の制御以外の操作）を行うことができる。ユーザーは、例えば、バンド部３を回転させながら操作スイッチ１２を１回押した場合、バンド部３を回転させながら操作スイッチ１２、１３を複数回押した場合、或いはバンド部３をスライドさせながら操作スイッチ１２、１３を１回又は複数回押した場合でそれぞれ異なる入力操作を電子機器１に対して行うことができる。
【００８６】
（第２実施形態）
続いて、本発明の電子機器に係る第２実施形態について説明する。
図１０は本実施形態に係る電子機器１の一例を示す図である。図１１は本実施形態に係る電子機器１に対する入力操作を示す図である。なお、本例では、画像は、例えば乗り物（自動車）を運転するゲーム画像である。画像の上部とは、自動車の屋根の部分を差すこととする。
【００８７】
本実施形態と第１実施形態との違いはバンド部の構造であり、表示装置２の構成は共通である。そのため、以下の説明ではバンド部の構造を主体に説明し、共通の構成については同じ符号を付し、その詳細な説明については省略若しくは簡略化する。
【００８８】
図１０に示すように、本実施形態に係る電子機器１００は、表示装置２と、表示装置２の側部７に形成された溝部７ａに移動可能に配置されたバンド部１０３とを有している。バンド部１０３は、一対のバンド部材８、９と、該一対のバンド部材８、９同士を連結させる第１スライド部１０及び第２スライド部１１と、を備えている。本実施形態において、バンド部材８、９は、一部が表示装置２の側部７から離間した状態に配置されている。具体的にバンド部材８は、表示装置２の第３側部７Ｃとの間に隙間Ｓを生じさせるように表示装置２に取り付けられている。また、バンド部材９は、表示装置２の第１側部７Ａとの間に隙間Ｓを生じさせるように表示装置２に取り付けられている。
【００８９】
本実施形態において、バンド部１０３は、バンド部材８、９と表示装置２との間に隙間Ｓを設け、取手部７０、７１を構成している。
本実施形態において、取手部７０、７１を構成するバンド部材８、９は、操作スイッチ１２、１３が設けられている。
【００９０】
本例において、制御装置５０は、ユーザーにより行われたバンド部１０３に対する操作に応じて、表示装置２の表示状態の制御を実行する。
図１１に示すように、ユーザーは両手で取手部７０、７１を把持し、左右ともに取手部７０、７１を同図中における右方向に倒すと、第１スライド部１０が右方向にスライドし、第２スライド部１１が左方向にスライドする。このとき、表示装置２は、水平状態を保持したまま、バンド部材８、９がスライドする。
【００９１】
制御装置５０は、第１実施形態と同様、スライド検出センサー２３によりバンド部材８、９のスライド量を検出する。制御装置５０は、バンド部材８、９のスライド量に対応させて表示装置２の表示状態を制御する。具体的に本実施形態では、制御装置５０は、表示装置２の表示領域５Ａに表示されるゲーム画面上の自動車の向きを変更する。すなわち、制御装置５０は、バンド部材８、９のスライド量及びスライド方向に対応させてゲーム画面上の自動車のタイヤの向き（ハンドルの操作方向）を変化させることができる。
このように取手部７０、７１を操作した方向に応じて、表示領域５Ａ上では自動車の向きが変化するので、ユーザーは操作性に優れ、臨場感のあるゲームを楽しむことができる。
【００９２】
また、ユーザーが取手部７０、７１を内側、或いは外側に回転させると、バンド部材８、９が第１スライド部１０及び第２スライド部１１に対して回転する。このとき、制御装置５０は、検出したバンド部材８、９の回転方向及び回転量に対応させるように表示領域５Ａに表示されている画像の表示状態を変化させる。具体的に電子機器１は、ユーザーが取手部７０、７１を外側に回転させた場合に表示領域５Ａに表示される自動車の画像を拡大させ、反対に取手部７０、７１を内側に回転させた場合に縮小する。
【００９３】
また、取手部７０、７１に操作スイッチ１２、１３が設けられているため、ユーザーは表示領域５Ａの表面に触れずに全ての入力操作を行うことができるので、表示装置２の表面を手指に油で汚すことなく、画像視認性が損なわれることなく、快適にゲームを行うことができる。
【００９４】
以上、本発明の実施の形態について図面を参照して詳述したが、具体的な構成はその実施形態に限られるものではなく、本発明の主旨を逸脱しない範囲において適宜変更可能である。
【００９５】
図１２は、電子機器の変形例に係る構成を示す図である。上記実施形態においては、電子機器１、１００として、表示装置２の表面５のみに表示領域５Ａを有するものについて説明した。変形例に係る電子機器は、図１２（ａ）に示される表示装置２の表面５に形成された表示領域５Ａと、図１２（ｂ）に示される裏面６に形成された表示領域（第２表示領域）６Ａとを有している。なお、本変形例は、表示装置２が両面表示可能である構成以外は上記実施形態のいずれかの構成と共通である。
【００９６】
なお、本例では、画像は、自動車の断面を示す画像である。本変形例において、表示装置２の両面に表示される画像は、自動車の断面構造を一方（後方側）から視たものと、該一方と反対の他方（前方側）から視たものとから構成される。すなわち、電子機器１は、両面の表示画像により、自動車の断面構造を２方向から同時にユーザーに視認させることができる優れた機能を有する。
【００９７】
図１２（ａ）に示されるように、表示装置２は、表面５の表示領域５Ａに自動車の運転席周辺の画像を表示する。一方、図１２（ｂ）に示されるように、表示装置２は、裏面６の表示領域５Ａに自動車の後部座席周辺の画像を表示する。制御装置５０は、上記実施形態と同様、バンド部３のスライド量及びスライド方向に応じて表示画像の表示状態（向き）を変化させる。
【００９８】
また、本変形例において、制御装置５０は、バンド部３の回転を検出すると表示領域５Ａ、６Ａに異なる断面位置の自動車画像を表示させる。具体的に、表示装置２は、ユーザーが表面５側の表示領域５Ａを視認している状態で、バンド部３が外側に回転されると、断面位置を前方側、すなわちエンジンルーム側に移動させた画像を表示領域５Ａ、６Ａにそれぞれ表示させる。一方、表示装置２は、バンド部３が内側に回転されると、断面位置を後方側、すなわち後部座席側に移動させた画像を表示領域５Ａ、６Ａにそれぞれ表示させる。なお、制御装置５０がバンド部３の回転を検出した際、表示領域５Ａ、６Ａに表示される自動車の断面画像の大きさ（拡大又は縮小）を変化させるようにしてもよい。
【００９９】
以上のように、本変形例によれば、両面表示が可能な表示装置２を備えるので、この電子機器自体も両面表示機能を有した付加価値の高いものとなる。
【０１００】
上記実施形態では、表示装置２に対するバンド部３の動作（回転、スライド）を検出することでバンド部３と表示装置２との相対移動量を検出する場合を例に挙げたが、本発明はこれに限定されることはない。例えば、バンド部３側に検出部（センサー）を設けることで、バンド部３に対する表示装置２の動作を検出することで上記相対移動量を検出するようにしてもよい。
【０１０１】
また、上記実施形態では、制御装置５０がバンド部３の移動量に基づいて所定の入力操作を行う場合を例に挙げたが、バンド部３に設けられた感圧センサーの検出結果のみに基づいて電子機器１に対して所定の入力操作を行うようにしてもよい。例えば、ユーザーがバンド部３の表面の所定部分を押圧すると、制御装置５０は表示装置２から出力される音声を変化させることができる。これによれば、より操作性に優れた電子機器１を提供できる。
【０１０２】
また、上記実施形態ではバンド部材８、９として、複数の節部が連結された形態を有する場合を例に挙げたが、本発明はこれに限定されることはない。すなわち、バンド部３は、円柱状の弾性部材から構成されたバンド部材８、９を第１スライド部１０及び第２スライド部１１で連結した構成であっても良い。
【符号の説明】
【０１０３】
１、１００…電子機器、２…表示装置、３、１０３…バンド部、４…検出部、５Ａ…表示領域（第１表示領域）、６Ａ…表示領域（第２表示領域）、７ａ…溝部、８、９…バンド部材、１０…第１スライド部（第１連結部材）、１１…第２スライド部（第２連結部材）、１２、１３…操作スイッチ、１５…姿勢検出装置、１６…撮像装置、１８…凹凸形状、２１…回転センサー（検出部）、２３…スライド検出センサー（検出部）、４０…ロック機構（制限部）、５０…制御装置（表示制御装置）、７０、７１…取手部
【図１】
2014044520.tif 000003
【図２】
2014044520.tif 000004
【図３】
2014044520.tif 000005
【図４】
2014044520.tif 000006
【図５】
2014044520.tif 000007
【図６】
2014044520.tif 000008
【図７】
2014044520.tif 000009
【図８】
2014044520.tif 000010
【図９】
2014044520.tif 000011
【図１０】
2014044520.tif 000012
【図１１】
2014044520.tif 000013
【図１２】
2014044520.tif 000014